(57)【要約】【課題】レンズ鏡筒と本体との電気接点を保護するとともに、デザイン性を向上させる。【解決手段】デジタルカメラ１０は、カメラ本体１１と、カメラ本体１１に着脱自在に装着されるレンズユニット（レンズ鏡筒）１２とからなる。カメラ本体１１は、前面側に、開閉自在に連結された平板状の接続部３１を備える。接続部２１の裏面の端部には、電気接点３１ａが設けられている。レンズユニット１２は、接続部３１が前方へ開かれた状態で挿入される挿入部２２が設けられており、挿入部２２内には、接続部３１が挿入された際に電気接点３１ａと接触する電気接点が設けられている。レンズユニット１２を取り外した状態で、接続部３１がマウント部３０を覆うように閉じられると、電気接点３１ａは内側に隠れ、保護される。挿入部２２は、接続部３１の非挿入時にはその挿入口を塞ぎ、挿入部３１が挿入される際には挿入口から退避する蓋部材を備える。【選択図】図１
2007101886.tif 000002
【特許請求の範囲】
【請求項１】
本体と、この本体に着脱自在に装着されるレンズ鏡筒とからなり、前記レンズ鏡筒が前記本体に装着された際に、前記本体に形成された第１電気接点と、前記レンズ鏡筒に形成された第２電気接点とが接触して、前記本体と前記レンズ鏡筒との間で通信が行われる撮影装置において、
前記本体は、前記第１接点を有し、かつ前面に開閉自在に連結された接続部を備え、前記レンズ鏡筒は、前記第２接点を有し、かつ前記接続部が前方へ開かれた状態で挿入される挿入部を備え、前記第１接点は、前記接続部が閉じられたときに外部に露呈しない裏面に形成されていることを特徴とする撮影装置。
【請求項２】
前記挿入部は、前記接続部の非挿入時にはその挿入口を塞ぎ、前記挿入部が挿入される際には挿入口から退避する蓋部材を備えることを特徴とする請求項１記載の撮影装置。
【請求項３】
前記接続部には係合部が設けられ、前記挿入部は、前記係合部を付勢して係止する係止部材を備えることを特徴とする請求項１または２記載の撮影装置。
【請求項４】
前記本体は、前記レンズ鏡筒が装着されるマウント部を備え、前記接続部は、閉じられた状態で前記マウント部を覆うことを特徴とする請求項１ないし３いずれか記載の撮影装置。
【請求項５】
前記第１接点は、千鳥状に配列されていることを特徴とする請求項１ないし４いずれか記載の撮影装置。
【請求項６】
前記接続部は、複数の扉として構成され、前記挿入部は、前記扉ごとに設けられていることを特徴とする請求項１ないし５いずれか記載の撮影装置。
【請求項７】
前記各扉は、形状が異なることを特徴とする請求項６記載の撮影装置。
【請求項８】
前記レンズ鏡筒には、指掛かりとしてのグリップ部が一体に形成され、前記グリップ部には前記挿入部が形成されていることを特徴とする請求項１ないし７いずれか記載の撮影装置。
【請求項９】
前記本体は、前記レンズ鏡筒に給電を行う給電手段を備え、この給電手段は、前記接続部の開閉に連動してオン／オフすることを特徴とする請求項１ないし８いずれか記載の撮影装置。
【請求項１０】
前記レンズ鏡筒は、被写体光を撮像して電気的な画像データを生成する撮像手段を備えることを特徴とする請求項１ないし９いずれか記載の撮影装置。
【発明の詳細な説明】
【技術分野】
【０００１】
本発明は、レンズ鏡筒が本体に着脱自在に装着される撮影装置に関する。
【背景技術】
【０００２】
従来の銀塩カメラやデジタルカメラにおいて、一眼レフ型などの高級機では、レンズ鏡筒がカメラ本体に対して着脱自在に構成されており、レンズ鏡筒とカメラ本体との間で電気信号をやり取りするために、双方には電気接点が設けられている（例えば、特許文献１〜４参照）。電気接点を介して、例えば、カメラ本体からレンズ鏡筒へレンズ駆動信号が送信され、また、撮像素子を備えるレンズ鏡筒では、レンズ鏡筒からカメラ本体へ撮像信号が送信される。
【特許文献１】特開平１１−１４２９３５号公報
【特許文献２】特開２０００−１０６６４０号公報
【特許文献３】特開２００１−１２５１８７号公報
【特許文献４】特開２００２−０５５３８８号公報
【発明の開示】
【発明が解決しようとする課題】
【０００３】
しかしながら、上記特許文献に記載のカメラは、レンズ鏡筒とカメラ本体とが分離された状態において、レンズ鏡筒とカメラ本体との電気接点が外部に露呈され、保護されていないため、故障の原因となり得る。また、露呈された電気接点は、見た目（デザイン性）も損ねる。
【０００４】
本発明は上記事情に鑑みてなされたものであり、レンズ鏡筒と本体との電気接点を保護するとともに、デザイン性を向上させたデジタルカメラを提供することを目的とする。
【課題を解決するための手段】
【０００５】
上記課題を解決するために、本発明の撮影装置は、本体と、この本体に着脱自在に装着されるレンズ鏡筒とからなり、前記レンズ鏡筒が前記本体に装着された際に、前記本体に形成された第１電気接点と、前記レンズ鏡筒に形成された第２電気接点とが接触して、前記本体と前記レンズ鏡筒との間で通信が行われる撮影装置において、前記本体は、前記第１接点を有し、かつ前面に開閉自在に連結された接続部を備え、前記レンズ鏡筒は、前記第２接点を有し、かつ前記接続部が前方へ開かれた状態で挿入される挿入部を備え、前記第１接点は、前記接続部が閉じられたときに外部に露呈しない裏面に形成されていることを特徴とする。
【０００６】
なお、前記挿入部は、前記接続部の非挿入時にはその挿入口を塞ぎ、前記挿入部が挿入される際には挿入口から退避する蓋部材を備えることが好ましい。
【０００７】
また、前記接続部には係合部が設けられ、前記挿入部は、前記係合部を付勢して係止する係止部材を備えることが好ましい。
【０００８】
また、前記本体は、前記レンズ鏡筒が装着されるマウント部を備え、前記接続部は、閉じられた状態で前記マウント部を覆うことが好ましい。
【０００９】
また、前記第１接点は、千鳥状に配列されていることが好ましい。
【００１０】
また、前記接続部は、複数の扉として構成され、前記挿入部は、前記扉ごとに設けられていることが好ましい。また、前記各扉は、形状が異なることが好ましい。
【００１１】
また、前記レンズ鏡筒には、指掛かりとしてのグリップ部が一体に形成され、前記グリップ部には前記挿入部が形成されていることが好ましい。
【００１２】
また、前記本体は、前記レンズ鏡筒に給電を行う給電手段を備え、この給電手段は、前記接続部の開閉に連動してオン／オフすることが好ましい。
【００１３】
さらに、前記レンズ鏡筒は、被写体光を撮像して電気的な画像データを生成する撮像手段を備えることが好ましい。
【発明の効果】
【００１４】
本発明の撮影装置によれば、本体は、第１接点を有し、かつ前面に開閉自在に連結された接続部を備え、レンズ鏡筒は、第２接点を有し、かつ接続部が前方へ開かれた状態で挿入される挿入部を備え、第１接点は、接続部が閉じられたときに外部に露呈しない裏面に形成されているので、レンズ鏡筒と本体との電気接点を保護するとともに、デザイン性を向上させることができる。
【００１５】
また、挿入部は、接続部の非挿入時にはその挿入口を塞ぎ、挿入部が挿入される際には挿入口から退避する蓋部材を備えるので、塵埃などの異物の侵入を防止することができる。
【００１６】
また、接続部には係合部が設けられ、挿入部は、係合部を付勢して係止する係止部材を備えるので、接続部を挿入部に挿入した際に、クリック感が得られるとともに、接続部を挿入部に確実に装着することができる。
【００１７】
また、本体は、レンズ鏡筒が装着されるマウント部を備え、接続部は、閉じられた状態でマウント部を覆うので、非使用時にマウント部を保護することができる。
【００１８】
また、第１接点は、千鳥状に配列されているので、配列密度を高め、接点数を増加させることができる。
【００１９】
接続部は、複数の扉として構成され、挿入部は、扉ごとに設けられているので、電気接点の数を増やすことができ、また、本体とレンズ鏡筒の装着性を向上させることができる。また、各扉は、形状が異なるので、誤挿入を防止することができる。
【００２０】
また、レンズ鏡筒には、指掛かりとしてのグリップ部が一体に形成され、グリップ部には挿入部が形成されているので、把持性を高め、撮影時の手振れを防止することができる。
【００２１】
また、本体は、レンズ鏡筒に給電を行う給電手段を備え、この給電手段は、接続部の開閉に連動してオン／オフするので、無駄な電力消費を防止することができる。
【発明を実施するための最良の形態】
【００２２】
図１において、デジタルカメラ１０は、カメラ本体１１とレンズユニット１２とからなる。レンズユニット１２は、カメラ本体１１に着脱自在に装着される交換式のレンズ鏡筒である。レンズユニット１２の前面には、撮像レンズ２０が露呈されており（図３参照）、背面には、カメラ本体１１のマウント部３０に装着される円筒状のコネクタ部２１と、カメラ本体１１の接続部３１が挿入されるスリット状の挿入部２２とが設けられている。
【００２３】
カメラ本体１１の前面には、上記コネクタ部２１が嵌合する凹状のマウント部３０と、上記挿入部２２に挿入される平板状の接続部３１と、接続部３１を図２に示す閉じた状態から図１のように前方へ開ける際に押圧操作されるオープンボタン３２と、ストロボ光を被写体に向けて発光するストロボ発光部３３とが設けられている。
【００２４】
接続部３１の裏面（閉じられたとき外部に露呈しない面）の先端部には、複数の短冊状の電気接点（第１電気接点）３１ａが設けられており、電気接点３１ａは、接続部３１を回動自在（開閉自在）に連結するヒンジ部３４を介してカメラ本体１１の内部回路と導通している。また、接続部３１の裏面の側部には、上記挿入部２２内のクリック部材（係止部材）４３（図４参照）と係合する係合爪（係合部）３５が設けられている。図２に示すように接続部３１が閉じられたとき、接続部３１はマウント部３０を覆う。このとき、電気接点３１ａはマウント部３０側に隠れて保護され、係合爪３５は、マウント部３０の近傍に形成された収納穴３６に収納される。
【００２５】
マウント部３０には、コネクタ部２１に設けられた係合突起２１ａが図３に示すようにレンズユニット１２がカメラ本体１１に装着された状態で係合する係合穴３０ａが設けられている。係合突起２１ａは、レンズユニット１２の側部に設けられたリリースボタン２３の押下に連動してコネクタ部２１内に埋没する。リリースボタン２３は、レンズユニット１２をカメラ本体１１から取り外す際に押圧操作される。
【００２６】
また、カメラ本体１１の上面には、電源ボタン３７およびシャッタボタン３８が設けられている。電源ボタン３７は、カメラ本体１１の電源をオン／オフにする際に、押圧操作される。シャッタボタン３８は、撮影を行う際に押圧操作される。また、背面には、画像や設定画面等を表示するＬＣＤ（図示せず）や、撮影モードと再生モードとを切り替える際に操作される操作ダイヤル（図示せず）などが設けられている。
【００２７】
図４（Ａ）において、挿入部２２には、回転軸４０ａを中心に回動する蓋部材４０が設けられており、蓋部材４０は、挿入口４２を塞いだ状態を維持するように、トーションバネ４１によって付勢されている。挿入部２２は、蓋部材４０によって、塵埃などの異物の侵入が防止されている。なお、トーションバネ４１に代えて、マグネットなどによって、挿入口４２を塞いだ状態に蓋部材４０を維持するようにしても良い。
【００２８】
また、挿入部２２の奥には、図４（Ｂ）に示すように、蓋部材４０を挿入口４２から奥側へ退避させるように接続部３１が挿入された際に、係合爪３５を付勢して係止する板バネ状のクリック部材４３が設けられている。さらに、挿入部２２の奥には、電気接点３１ａに付勢力を持って当接する板バネ状の電気接点４４が設けられている。
【００２９】
接続部３１を挿入部２２に挿入し、係合爪３５がクリック部材４３に係合すると、その係合力からフリクションが得られる。電気接点４４は、その付勢力によって確実に電気接点３１ａに接触し、良好な電気的導通が得られる。よって、接続部３１を挿入部２２に挿入した際に、ユーザはクリック感が得られるとともに、接続部３１を挿入部２２に確実に装着することができる。
【００３０】
なお、図５に示すように、電気接点３１ａの各々を、１つの鋭角を有する５角形とし、これらを２列に半ピッチをずらして配列させ、鋭角の部分が互い違いに位置するように、いわゆる千鳥状配列としても良い。これにより、電気接点３１ａの配列密度を高め、接点数を増加させることができる。
【００３１】
デジタルカメラ１０の電気的構成を示す図６において、レンズユニット１２には、ユニット内の各部を制御するユニット制御部５０が設けられている。電源制御部５１は、前述の電気接点３１ａ，４４を介して、カメラ本体１１側から給電され、レンズユニット１２内の各部に給電を行う。また、ユニット制御部５０は、電気接点３１ａ，４４を介してカメラ本体１１内の本体制御部６０と通信を行い、本体制御部６０から送られた制御信号に基づいてレンズユニット１２内の各部を制御する。
【００３２】
光学系５２は、前述の撮像レンズ２０と絞りとからなり、レンズモータおよびアイリスモータを含む駆動部５３が接続されている。駆動部５３は、ユニット制御部５０によって制御され、ピント、ズーム倍率、絞り値などの調節を行う。
【００３３】
光学系５２の光軸上には、ＣＣＤイメージセンサ（以下、単にＣＣＤという）５４が配置されている。ＣＣＤ５４は、２次元状に配列されたフォトダイオードを備えている。撮影モードにおいて、ＣＣＤ５４は、光学系５２を介して結像した被写体光を光電変換して、光量に応じた信号電荷を各フォトダイオードに蓄積する。各フォトダイオードに蓄積された信号電荷は、ＣＣＤドライバ５５から供給される駆動パルスに基づいて、その電荷量に応じた電圧信号（撮像信号）として順次に読み出される。
【００３４】
ＣＣＤ５４から出力された撮像信号は、相関二重サンプリング回路やオートゲインコントロール・アンプなどからなるアナログ信号処理回路５６に入力され、アナログ信号処理回路５６は、撮像信号に対して、雑音の除去やゲイン調整などを行う。アナログ信号処理回路５６から出力された撮像信号は、Ａ／Ｄ変換器５７に入力され、Ａ／Ｄ変換器５７は、撮像信号をデジタル信号に変換する。なお、ＣＣＤ５４に代えて、ＣＭＯＳイメージセンサなどの他の撮像素子を用いても良い。
【００３５】
ユニット制御部５０は、各部を制御して、Ａ／Ｄ変換器５７から順次に一画面分の撮像信号（画像データ）を出力させ、各画像データを、バス５８を介し、電気接点３１ａ，４４からカメラ本体１１内に順次に入力させる。ＣＣＤ５４、アナログ信号処理回路５６、およびＡ／Ｄ変換器５７は、被写体光を撮像して電気的な画像データを生成する撮像手段として機能する。
【００３６】
また、ユニット制御部５０は、ＡＦ（自動焦点調節）動作時、或いはＡＥ（自動露出調節）動作時には、Ａ／Ｄ変換器５７から出力される画像データをＡＦ／ＡＥ検出部５９に順次に入力する。ＡＦ／ＡＥ検出部５９は、ＡＦ動作時には、入力された画像データの所定範囲内から高周波成分を抽出し、画素ごとにこれらを加算してＡＦ評価値（コントラスト値）を求める。また、ＡＦ／ＡＥ検出部５９は、ＡＥ動作時には、入力された画像データの所定範囲内から輝度値を抽出し、画素ごとにこれらを加算してＡＥ評価値（被写体光量）を求める。ＡＦ／ＡＥ検出部５９は、ＡＦ評価値およびＡＥ評価値を、バス５８を介してユニット制御部５０に入力する。
【００３７】
ユニット制御部５０は、ＡＦ動作時には、光学系５２を制御し、ＡＦ評価値が極大（ピーク）となる位置に撮像レンズ２０内のフォーカスレンズ位置を調節する。また、ユニット制御部５０は、ＡＥ動作時には、ＡＥ評価値が所定の目標値（適正露出値）となるように、光学系５２内の絞り、およびＣＣＤ５４の電子シャッタ速度を調節する。
【００３８】
カメラ本体１１には、本体内の各部を制御する本体制御部６０が設けられている。電源制御部６１は、バッテリ６２に接続されており、バッテリ６２の出力電圧を所定電圧に変圧し、カメラ本体１１内の各部に給電を行う。また、電源制御部６１は、電気接点３１ａ，４４を介してレンズユニット１２に対して給電を行う。バッテリ６２および電源制御部６１は、レンズユニット１２に給電を行う給電手段として機能する。
【００３９】
カメラ本体１１から入力された画像データ（いわゆるＲＡＷデータ）は、バス６３を介してメモリ６４に記憶される。デジタル信号処理部６５は、メモリ６４に記憶された画像データに対して、同時化、γ変換、ＹＣ変換、圧縮処理などの信号処理を施す。
【００４０】
操作部６６には、前述の電源ボタン３７やシャッタボタン３８が含まれている。シャッタボタン３８は、２段階押圧式のスイッチとなっている。撮影モードにおいて、シャッタボタン３８が軽く押下（半押し）されて１段目のスイッチがオンすると、レンズユニット１２によって上記ＡＦ動作やＡＥ動作などの撮影準備動作がなされる。シャッタボタン３８がさらに深く押下（全押し）されて２段目のスイッチがオンすると、デジタル信号処理部６５は、メモリ６４に取り込まれた画像データに対して上記信号処理を施し、メディアコントローラ６７は、この画像データを記録メディア６８に記録する（いわゆる撮影処理）。
【００４１】
撮影モードにおいてシャッタボタン３８が押下されるまでの撮影待機状態では、デジタル信号処理部６５は、メモリ６４に記憶された画像データに対して簡易な画像処理とＹＣ処理とを施し、ＬＣＤドライバ６９は、この画像データをＬＣＤ７０にスルー画として表示させる。
【００４２】
一方、再生モードでは、メディアコントローラ６７は、記録メディア５９から画像データを読み出し、メモリ６４に取り込む。デジタル信号処理部６５は、この画像データに対して伸張処理を施し、ＬＣＤドライバ６９は、この画像データをＬＣＤ７０に再生画像として表示させる。
【００４３】
また、本体制御部６０には、ストロボ制御部７１が接続されている。本体制御部６０は、撮影モードにおいてシャッタボタン３８が全押しされた際に、ストロボ制御部７１に指示を与え、ストロボ発光部３３を発光させる。
【００４４】
また、前述のヒンジ部３４は、接続部３１の開閉検出、つまり、図２に示す閉じた状態にあるか、または、図１に示す開いた状態にあるかを電気的に検出する機構を有し、この検出信号を、バス６３を介して本体制御部６０に入力する。本体制御部６０は、ヒンジ部３４からの上記検出信号を参照し、電源制御部６１を制御して、レンズユニット１２への給電をオン／オフさせる。これにより、無駄な電力消費が防止される。
【００４５】
具体的には、本体制御部６０は、電源ボタン３７が押下されると、図７に示すフローチャートに従い、まず、ヒンジ部３４からの上記検出信号を参照して、接続部３１の開閉状態を判定する。接続部３１が開かれると、本体制御部６０は、電源制御部６１を制御し、レンズユニット１２に給電を行う。そして、本体制御部６０は、レンズユニット１２が起動したことを知らせる信号をユニット制御部５０から受けると、レンズユニット１２と通信を開始し、各種動作を実行する。
【００４６】
次に、図８は、接続部を変形した第２実施形態のデジタルカメラ８０を示す。デジタルカメラ８０は、カメラ本体８１とレンズユニット８２とからなる。なお、上記第１実施形態と同様な部分については同一の符号を付しており、それらの詳しい説明は省略する。
【００４７】
接続部８３は、カメラ本体８１の前面にヒンジ部８４ａ，８４ｂを介して回動自在に取り付けられた第１および第２扉８３ａ，８３ｂからなる。第１扉８３ａはマウント部３０の左側に、第２扉８３ｂはマウント部３０の右側に取り付けられ、第１および第２扉８３ａ，８３ｂは、いわゆる観音開きを行う。
【００４８】
第１および第２扉８３ａ，８３ｂの各裏面の先端部には、電気接点８５が設けられている。図９に示すように、第１および第２扉８３ａ，８３ｂが閉じられると、電気接点８５は内側に隠れて保護される。レンズユニット８２には、第１および第２扉８３ａ，８３ｂが挿入される第１および第２挿入部８６ａ，８６ｂが設けられており、各挿入部は上記第１実施形態の挿入部２２と同様な構成である。
【００４９】
また、図１０に示すように、第１および第２扉８３ａ，８３ｂを、それぞれ異なる形状（相似形で大きさが異なる場合も含む）としても良い。ここでは、第１扉８３ａを、第２扉８３ｂに比べやや小さくしている。また、第１および第２挿入部８６ａ，８６ｂを、第１および第２扉８３ａ，８３ｂに合わせた形状とする。これにより、第１および第２扉８３ａ，８３ｂが第１および第２挿入部８６ａ，８６ｂに対して逆に挿入されることが防止される。
【００５０】
なお、接続部を構成する扉の枚数は、３枚以上としても良く、各扉の開閉方向は適宜変更して良い。このように、接続部を複数の扉で構成することにより、電気接点の数を増やすことができ、また、カメラ本体とレンズユニットの装着性も向上する。
【００５１】
次に、図１１は、レンズユニットを変形した第３実施形態のデジタルカメラ９０を示す。デジタルカメラ９０は、カメラ本体９１とレンズユニット９２とからなる。なお、上記第１実施形態と同様な部分については同一の符号を付しており、それらの詳しい説明は省略する。
【００５２】
レンズユニット９２には、指掛かりとしてのグリップ部９３が一体に設けられており、グリップ部９３の端部は前方へ向かって膨出している。この膨出部の背面側には、カメラ本体９１の接続部９４が挿入される挿入部９５が設けられており、挿入部９５は上記第１実施形態の挿入部２２と同様な構成である。
【００５３】
接続部９４は、カメラ本体９１の前面にヒンジ部９６を介して回動自在に取り付けられている。接続部９４の裏面の先端部には、電気接点９４ａが設けられており、接続部９４を閉じると、電気接点９４ａは、内側に隠れて保護される。
【００５４】
図１２は、レンズユニット９２がカメラ本体９１に取り付けられた状態を示す。このように、カメラ本体９１の厚さは薄くても、レンズユニット９２のグリップ部９３により、ユーザはデジタルカメラ９０をしっかりと把持することができる。これにより、撮影時の手振れが防止される。
【００５５】
本実施形態のレンズユニット９２は、高倍率の望遠レンズを備える場合に適応することが好ましい。一方、第１実施形態のレンズユニット１２は、小型レンズや広角レンズなどを備える場合に適用することが好ましい。
【００５６】
図１３は、レンズユニット９２の変形例であり、グリップ部９３の上面端部にシャッタボタン９７が設けられている。シャッタボタン９７は、カメラ本体９１のシャッタボタン３８と同様の構成である。図１４に示すように、レンズユニット９２内には、上記第１実施形態のレンズユニット１２の構成に加えて、バッテリ９８および画像メモリ９９が設けられている。バッテリ９８は、電源制御部５１に接続されており、バッテリ９８の出力電圧が電源制御部５１によって所定電圧に変圧された後、レンズユニット９２内の各部に給電される。画像メモリ９９は、バス５８に接続され、Ａ／Ｄ変換器５７から出力された画像データを格納する。
【００５７】
シャッタボタン９７は、ユニット制御部５０に接続されている。ユニット制御部５０にシャッタボタン９７からシャッタ操作信号が与えられると、レンズユニット９２は、単体で撮影動作を行うことができる。レンズユニット９２を撮影装置として使用し、カメラ本体９１をレンズユニット９２に格納された画像データを表示するための画像表示装置（モニタリング装置）として使用することも可能である。なお、画像記録枚数を増やすために、レンズユニット９２にさらにメモリーカードを着脱自在に装着可能としても良い。
【００５８】
なお、上記実施形態において、撮像素子としてＣＣＤを例に挙げて説明しているが、本発明はこれに限定されず、他の撮像素子（例えば、ＣＭＯＳイメージセンサ）を用いても良い。
【００５９】
また、上記実施形態において、撮像素子を内部に備えたレンズユニットを例に挙げて説明しているが、本発明はこれに限定されず、撮像素子がカメラ本体に設けられている場合にも適用可能である。さらに、撮像素子に代えて銀塩フィルムをカメラ本体に装着される銀塩カメラに本発明を適用することも可能である。
【図面の簡単な説明】
【００６０】
【図１】デジタルカメラの構成を示す斜視図である。
【図２】接続部を閉じた状態を示す斜視図である。
【図３】レンズユニットをカメラ本体に取り付けた状態を示す斜視図である。
【図４】挿入部の断面図であり、（Ａ）は接続部が挿入されていない状態、（Ｂ）は接続部が挿入された状態を示す。
【図５】接続部の電気接点の変形例（千鳥状配列）を示す斜視図である。
【図６】デジタルカメラの電気的構成を示すブロック図である。
【図７】接続部の開閉に応じた給電および通信の開始動作を説明するフローチャートである。
【図８】接続部を２枚の扉で構成した第２実施形態のデジタルカメラの構成を示す斜視図である。
【図９】接続部を閉じた状態を示す斜視図である。
【図１０】接続部を構成する２枚の扉をそれぞれ異なる形状とした例を示す斜視図である。
【図１１】レンズユニットにグリップ部を一体に設けた第３実施形態のデジタルカメラの構成を示す斜視図である。
【図１２】レンズユニットをカメラ本体に取り付けた状態を示す斜視図である。
【図１３】レンズユニットにシャッタボタンを設けた例を示す斜視図である。
【図１４】シャッタボタンが設けられたレンズユニットの電気的構成を示すブロック図である。
【符号の説明】
【００６１】
１０  デジタルカメラ
１１  カメラ本体
１２  レンズユニット
２１  コネクタ部
２２  挿入部
３０  マウント部
３１  接続部
３１ａ  電気接点
３４  ヒンジ部
３５  係合爪
４０  蓋部材
４０ａ  回転軸
４１  トーションバネ
４３  クリック部材
４４  電気接点
４５  ＣＣＤイメージセンサ
５０  ユニット制御部
６０  本体制御部
８０  デジタルカメラ
８１  カメラ本体
８２  レンズユニット
８３  接続部
８３ａ，８３ｂ  第１および第２扉
８６ａ，８６ｂ  第１および第２挿入部
９０  デジタルカメラ
９１  カメラ本体
９２  レンズユニット
９４  接続部
９５  挿入部
【図１】
2007101886.tif 000003
【図２】
2007101886.tif 000004
【図３】
2007101886.tif 000005
【図４】
2007101886.tif 000006
【図５】
2007101886.tif 000007
【図６】
2007101886.tif 000008
【図７】
2007101886.tif 000009
【図８】
2007101886.tif 000010
【図９】
2007101886.tif 000011
【図１０】
2007101886.tif 000012
【図１１】
2007101886.tif 000013
【図１２】
2007101886.tif 000014
【図１３】
2007101886.tif 000015
【図１４】
2007101886.tif 000016